(57)【要約】【課題】電線の材料毎に分別することが可能なワイヤーハーネスを提供する。【解決手段】ワイヤーハーネスＡは、第１サブハーネス１０Ａの第１導電路１５Ａを構成し、第１コネクタハウジング１１Ａの後方へ導出された第１電線１６Ａと、第１電線１６Ａの前端部に外嵌された第１ゴム栓２５Ａと、第２サブハーネス１０Ｂの第２導電路１５Ｂを構成し、外径が第１電線１６Ａとほぼ同じ寸法であって、第１電線１６Ａとは異なる材料が用いられ、第２コネクタハウジング１１Ｂの後方へ導出された第２電線１６Ｂと、第２電線１６Ｂの前端部に外嵌された第２ゴム栓２５Ｂと、第１ゴム栓２５Ａの後端部に形成した第１識別部２８Ａと、第１識別部２８Ａとは異なる形態であって、第２ゴム栓２５Ｂの後端部に形成された第２識別部２８Ｂとを備える。【選択図】図１
2014053215.tif 000002
【特許請求の範囲】
【請求項１】
１つの第１コネクタハウジングに複数本の第１導電路を接続した形態の第１サブハーネスと、
前記第１導電路を構成し、後方から前記第１コネクタハウジングに挿入された第１端子金具と、
前記第１導電路を構成し、前記第１端子金具の後端部に圧着されて前記第１コネクタハウジングの後方へ導出された第１電線と、
前記第１電線の前端部に外嵌されて、前記第１電線とともに前記第１端子金具の後端部に圧着された第１ゴム栓と、
１つの第２コネクタハウジングに複数本の第２導電路を接続した形態の第２サブハーネスと、
前記第２導電路を構成し、後方から前記第２コネクタハウジングに挿入された第２端子金具と、
前記第２導電路を構成し、外径が前記第１電線とほぼ同じ寸法であって、前記第１電線とは異なる材料が用いられ、前記第２端子金具の後端部に圧着されて前記第２コネクタハウジングの後方へ導出された第２電線と、
前記第２電線の前端部に外嵌されて、前記第２電線とともに前記第２端子金具の後端部に圧着された第２ゴム栓と、
前記第１ゴム栓の後端部に形成した第１識別部と、
前記第１識別部とは異なる形態であって、前記第２ゴム栓の後端部に形成された第２識別部とを備えていることを特徴とするワイヤーハーネス。
【請求項２】
前記第１ゴム栓及び前記第２ゴム栓の軸線と平行な仮想投影面上において、前記第１識別部と前記第２識別部とが互いに異なる形態であることを特徴とする請求項１記載のワイヤーハーネス。
【請求項３】
前記第１識別部の外径寸法と前記第２識別部の外径寸法とが、互いに相違していることを特徴とする請求項１又は請求項２記載のワイヤーハーネス。
【請求項４】
前記第１識別部の後端の位置と前記第２識別部の後端の位置とが、互いに相違していることを特徴とする請求項１ないし請求項３のいずれか１項に記載のワイヤーハーネス。
【発明の詳細な説明】
【技術分野】
【０００１】
本発明は、ワイヤーハーネスに関するものである。
【背景技術】
【０００２】
特許文献１には、リサイクルの際の材料の分別を考慮したワイヤーハーネスが開示されている。このワイヤーハーネスは、導体の材料が共通である第１サブハーネスと、導体の材料が第１サブハーネスとは異なる第２サブハーネスとを結束して構成されている。リサイクルの際には、ワイヤーハーネスの結束を解けば、導体の材料が互いに異なる２つのサブハーネスに分離できる。
【先行技術文献】
【特許文献】
【０００３】
【特許文献１】特開２００７−０５９２９８号公報
【発明の概要】
【発明が解決しようとする課題】
【０００４】
上記特許文献１では、ワイヤーハーネスを構成する２つのサブハーネスが、いずれもテープ巻きによって個別に結束されている。しかし、第１サブハーネスを結束するテープと第２サブハーネスを結束するテープを識別する手段が設けられていないため、第１サブハーネスの導体の材料と第２サブハーネスの導体の材料とを判別することはできない。したがって、特許文献１のワイヤーハーネスでは、結束を解いて２つのサブハーネスに分離しただけでは、導体の材料を分別することができない。
本発明は上記のような事情に基づいて完成されたものであって、電線の材料毎に分別することが可能なワイヤーハーネスを提供することを目的とする。
【課題を解決するための手段】
【０００５】
本発明のワイヤーハーネスは、
１つの第１コネクタハウジングに複数本の第１導電路を接続した形態の第１サブハーネスと、
前記第１導電路を構成し、後方から前記第１コネクタハウジングに挿入された第１端子金具と、
前記第１導電路を構成し、前記第１端子金具の後端部に圧着されて前記第１コネクタハウジングの後方へ導出された第１電線と、
前記第１電線の前端部に外嵌されて、前記第１電線とともに前記第１端子金具の後端部に圧着された第１ゴム栓と、
１つの第２コネクタハウジングに複数本の第２導電路を接続した形態の第２サブハーネスと、
前記第２導電路を構成し、後方から前記第２コネクタハウジングに挿入された第２端子金具と、
前記第２導電路を構成し、外径が前記第１電線とほぼ同じ寸法であって、前記第１電線とは異なる材料が用いられ、前記第２端子金具の後端部に圧着されて前記第２コネクタハウジングの後方へ導出された第２電線と、
前記第２電線の前端部に外嵌されて、前記第２電線とともに前記第２端子金具の後端部に圧着された第２ゴム栓と、
前記第１ゴム栓の後端部に形成した第１識別部と、
前記第１識別部とは異なる形態であって、前記第２ゴム栓の後端部に形成された第２識別部とを備えている
ところに特徴を有する。
【発明の効果】
【０００６】
この構成によれば、第１サブハーネスを構成する第１電線の材料と、第２サブハーネスを構成する第２電線の材料との違いを、第１識別部と第２識別部を目視して確認することにより、材料の異なる第１電線と第２電線を識別できる。本発明によれば、ゴム栓の識別部の形態の違いに基づいて、２種類のサブハーネスを電線の材料毎に分別することができる。
【図面の簡単な説明】
【０００７】
【図１】本実施例１のワイヤーハーネスの平面図
【図２】図１のＸ−Ｘ線断面図
【図３】図１のＹ−Ｙ線断面図
【発明を実施するための形態】
【０００８】
本発明のワイヤーハーネスは、
前記第１ゴム栓及び前記第２ゴム栓の軸線と平行な仮想投影面上において、前記第１識別部と前記第２識別部とが互いに異なる形態であってもよい。
この構成によれば、軸線と交差する方向から目視することによって、第１識別部と第２識別部を確実に識別することができる。
【０００９】
本発明のワイヤーハーネスは、
前記第１識別部の外径寸法と前記第２識別部の外径寸法とが、互いに相違していてもよい。
この構成によれば、第１識別部と第２識別部の外径寸法の違いに基づいて、第１電線と第２電線を分別することができる。
【００１０】
本発明のワイヤーハーネスは、
前記第１識別部の後端の位置と前記第２識別部の後端の位置とが、互いに相違していてもよい。
この構成によれば、第１識別部と第２識別部の後端の位置の違いに基づいて、第１電線と第２電線を分別することができる。
【００１１】
＜実施例１＞
以下、本発明を具体化した実施例１を図１〜図３を参照して説明する。尚、以下の説明において、前後方向については、図１〜３の右側を前側ということにする。
【００１２】
＜ワイヤーハーネスＷの全体構成＞
図１に示すように、本実施例のワイヤーハーネスＷは第１サブハーネス１０Ａと第２サブハーネス１０Ｂとを備えて構成されている。第１サブハーネス１０Ａは、１つの第１コネクタハウジング１１Ａと、第１コネクタハウジング１１Ａに接続された複数本の第１導電路１５Ａとを備えて構成されている。第２サブハーネス１０Ｂは、１つの第２コネクタハウジング１１Ｂと、第２コネクタハウジング１１Ｂに接続された複数本の第２導電路１５Ｂとを備えて構成されている。
【００１３】
＜第１サブハーネス１０Ａ＞
第１コネクタハウジング１１Ａの内部には、第１コネクタハウジング１１Ａを前後方向に貫通する複数室の第１端子収容室１２Ａが形成されている。第１端子収容室１２Ａの前端部近くには、第１端子収容室１２Ａの内壁に沿って前方へ片持ち状に延出した形態であって、上下方向（後述する第１端子収容室１２Ａに対する第１端子金具２０Ａの挿入・抜取り方向と交差する方向）へ弾性撓み可能な第１ランス１３Ａが形成されている。第１端子収容室１２Ａの後端部内周は、円形断面の第１シール面１４Ａとなっている。
【００１４】
第１導電路１５Ａは、第１電線１６Ａと、第１端子金具２０Ａと、第１ゴム栓２５Ａとを備えて構成されている。図２に示すように、第１電線１６Ａは、アルミニウム合金製の第１導体１７Ａを第１絶縁被覆１８Ａで包囲した被覆電線である。第１サブハーネス１０Ａを構成する複数本の第１電線１６Ａの第１導体１７Ａは、全て、アルミニウム合金製である。第１電線１６Ａの前端部においては、第１端子金具２０Ａと接続するために、第１絶縁被覆１８Ａが除去されて第１導体１７Ａが露出している。
【００１５】
第１端子金具２０Ａは、全体として前後方向に細長く、前端部には第１角筒部２１Ａが形成され、後端部にはオープンバレル状の第１圧着部２２Ａが形成されている。第１圧着部２２Ａは、第１ワイヤバレル部２３Ａと第１インシュレーションバレル部２４Ａを前後に並べて配置した周知の形態となっている。この第１圧着部２２Ａには、第１電線１６Ａの前端部が圧着により接続されている。
【００１６】
このとき、露出した第１導体１７Ａが第１ワイヤバレル部２３Ａに包囲された状態で導通可能に固着される。また、第１電線１６Ａのうち第１絶縁被覆１８Ａで包囲されている部分は、第１インシュレーションバレル部２４Ａに包囲された状態で保持される。第１端子金具２０Ａは、第１コネクタハウジング１１Ａの後方から第１端子収容室１２Ａ内に挿入され、第１角筒部２１Ａを第１ランス１３Ａに係止させることによって、抜止め状態に保持されている。第１端子金具２０Ａが正しく挿入された状態では、第１電線１６Ａが第１コネクタハウジング１１Ａの後方へ導出される。
【００１７】
第１ゴム栓２５Ａは、全体として軸線を前後方向に向けた略円筒状をなし、第１電線１６Ａの前端部に外嵌されている。第１ゴム栓２５Ａは、第１シール機能部２６Ａと第１被圧着部２７Ａと第１識別部２８Ａとを一体に形成したものである。第１シール機能部２６Ａの外周には、第１シール面１４Ａに対して弾性的に密着可能な外周リップ部が形成されている。第１シール機能部２６Ａの内周に形成した周知形態の内周リップ部（図示省略）は、第１絶縁被覆１８Ａの外周に対して液密状に密着している。
【００１８】
第１被圧着部２７Ａは、第１シール部の前端から前方へ延出した形態である。第１被圧着部２７Ａは、第１電線１６Ａを第１圧着部２２Ａに圧着する際に、第１絶縁被覆１８Ａと一緒に第１インシュレーションバレル部２４Ａに圧着される。圧着された状態では、第１被圧着部２７Ａが第１絶縁被覆１８Ａと第１インシュレーションバレル部２４Ａとの間で挟み付けられる。これにより、第１ゴム栓２５Ａが、第１端子金具２０Ａの後端部に対し後方へ延出した形態で一体化（固着）されている。第１端子金具２０Ａが第１端子収容室１２Ａ内に正しく挿入された状態では、第１シール機能部２６Ａの外周リップ部が第１シール面１４Ａに対して弾性的に密着して、第１端子収容室１２Ａの後端の開口部が液密状にシールされる。
【００１９】
第１識別部２８Ａは、第１シール機能部２６Ａの後端に繋がっており、第１シール機能部２６Ａと同心の円形をなすフランジ状に形成されている。第１識別部２８Ａの外径は、第１シール機能部２６Ａの外径及び第１シール面１４Ａの内径よりも大きい。第１端子金具２０Ａを第１端子収容室１２Ａ内に正しく挿入し、第１シール機能部２６Ａが第１シール面１４Ａに密着した状態では、第１識別部２８Ａが第１端子収容室１２Ａの後方外部に露出する。したがって、第１識別部２８Ａの存在と形態（形状や第１コネクタハウジング１１Ａの後端面からの突出寸法等）は、第１ゴム栓２５Ａの軸線と交差する方向（左右方向又は上下方向）から目視で確認することが可能である。
【００２０】
＜第２サブハーネス１０Ｂ＞
第２コネクタハウジング１１Ｂは、形状、大きさ、色が、第１コネクタハウジング１１Ａとほぼ同じであるから、外観上、容易に識別することはできない。第２コネクタハウジング１１Ｂの内部には、第２コネクタハウジング１１Ｂを前後方向に貫通する複数室の第２端子収容室１２Ｂが形成されている。第２端子収容室１２Ｂの前端部近くには、第２端子収容室１２Ｂの内壁に沿って前方へ片持ち状に延出した形態であって、上下方向（後述する第２端子収容室１２Ｂに対する第２端子金具２０Ｂの挿入・抜取り方向と交差する方向）へ弾性撓み可能な第２ランス１３Ｂが形成されている。第２端子収容室１２Ｂの後端部内周は、円形断面の第２シール面１４Ｂとなっている。
【００２１】
第２導電路１５Ｂは、第２電線１６Ｂと、第２端子金具２０Ｂと、第２ゴム栓２５Ｂとを備えて構成されている。第２電線１６Ｂは、銅合金製（つまり、第１導体１７Ａとは異なる金属材料）の第２導体１７Ｂを第２絶縁被覆１８Ｂで包囲した被覆電線である。第２サブハーネス１０Ｂを構成する複数本の第２電線１６Ｂの第２導体１７Ｂは、全て、銅合金製である。第２絶縁被覆１８Ｂの外径寸法と材料と色は、いずれも、第１絶縁被覆１８Ａと殆ど同じ（共通）である。したがって、外観上、第１電線１６Ａと第２電線１６Ｂとを目視で識別することは困難となっている。第２電線１６Ｂの前端部においては、第２端子金具２０Ｂと接続するために、第２絶縁被覆１８Ｂが除去されて第２導体１７Ｂが露出した状態となっている。
【００２２】
第２端子金具２０Ｂは、第１端子金具２０Ａと同一形態であり、全体として前後方向に細長い。第２端子金具２０Ｂの前端部には第２角筒部２１Ｂが形成され、後端部にはオープンバレル状の第２圧着部２２Ｂが形成されている。第２圧着部２２Ｂは、第２ワイヤバレル部２３Ｂと第２インシュレーションバレル部２４Ｂとを前後に並べて配置した周知の形態となっている。この第２圧着部２２Ｂには、第２電線１６Ｂの前端部が圧着により接続されている。このとき、露出した第２導体１７Ｂが第２ワイヤバレル部２３Ｂに包囲された状態で導通可能に固着される。また、第２電線１６Ｂのうち第２絶縁被覆１８Ｂで包囲されている部分は、第２インシュレーションバレル部２４Ｂに包囲された状態で保持される。第２端子金具２０Ｂは、コネクタハウジングの後方から第２端子収容室１２Ｂ内に挿入され、第２角筒部２１Ｂを第２ランス１３Ｂに係止させることによって、抜止め状態に保持されている。第２端子金具２０Ｂが正しく挿入された状態では、第２電線１６Ｂが第２コネクタハウジング１１Ｂの後方へ導出される。
【００２３】
第２ゴム栓２５Ｂは、全体として軸線を前後方向に向けた略円筒状をなし、第２電線１６Ｂの前端部に外嵌されている。第２ゴム栓２５Ｂは、第２シール機能部２６Ｂと第２被圧着部２７Ｂと第２識別部２８Ｂとを一体に形成したものである。第２シール機能部２６Ｂは第１シール機能部２６Ａと同一形態であり、第２シール機能部２６Ｂの外周には、第２シール面１４Ｂに対して弾性的に密着可能な外周リップ部が形成されている。第２シール機能部２６Ｂの内周に形成した周知形態の内周リップ部（図示省略）は、第２絶縁被覆１８Ｂの外周に対して液密状に密着している。
【００２４】
第２被圧着部２７Ｂは、第１被圧着部２７Ａと同一形態であり、第２シール部の前端から前方へ延出している。第２被圧着部２７Ｂは、第２電線１６Ｂを第２圧着部２２Ｂに圧着する際に、第２絶縁被覆１８Ｂと一緒に第２インシュレーションバレル部２４Ｂに圧着される。圧着された状態では、第２被圧着部２７Ｂが第２絶縁被覆１８Ｂと第２インシュレーションバレル部２４Ｂとの間で挟み付けられる。これにより、第２ゴム栓２５Ｂが、第２端子金具２０Ｂの後端部に対し後方へ延出した形態で一体化（固着）されている。第２端子金具２０Ｂが第２端子収容室１２Ｂ内に正しく挿入された状態では、第２シール機能部２６Ｂの外周リップ部が第２シール面１４Ｂに対して弾性的に密着して、第２端子収容室１２Ｂの後端の開口部が液密状にシールされる。
【００２５】
第２識別部２８Ｂは、第２シール機能部２６Ｂの後端に繋がっており、第２シール機能部２６Ｂと同心の円形をなす。第２識別部２８Ｂは、第１識別部２８Ａと異なる形態である。つまり、第２識別部２８Ｂの外径は、第１識別部２８Ａの外径よりも小さく、第２シール機能部２６Ｂの外径及び第２シール面１４Ｂの内径よりも小さい。第２端子金具２０Ｂを第２端子収容室１２Ｂ内に正しく挿入し、第２シール機能部２６Ｂが第２シール面１４Ｂに密着した状態では、第２識別部２８Ｂが第２端子収容室１２Ｂの後方へ外部に露出する。このとき、前後方向において、第２識別部２８Ｂの後端は第１識別部２８Ａの後端よりも前方に位置する。つまり、第２識別部２８Ｂの第２コネクタハウジング１１Ｂの後端面から突出寸法は、第１識別部２８Ａの第１コネクタハウジング１１Ａからの突出寸法よりも小さい。
【００２６】
このように、第１識別部２８Ａと第２識別部２８Ｂは互いに外径寸法が相違しており、第１識別部２８Ａの後端の位置と第２識別部２８Ｂの後端の位置も互い相違している。したがって、第１識別部２８Ａと第２識別部２８Ｂの形態（形状や大きさやコネクタハウジング１１Ａ，１１Ｂの後端面からの突出寸法等）の違いは、第１ゴム栓２５Ａ及び第２ゴム栓２５Ｂの軸線と交差する方向（左右方向又は上下方向）から目視によって容易且つ確実に確認することが可能である。
【００２７】
＜実施例の作用及び効果＞
本実施例のワイヤーハーネスＷを構成する第１サブハーネス１０Ａと第２サブハーネス１０Ｂは、コネクタハウジング１１Ａ，１１Ｂや電線１６Ａ，１６Ｂの外観を目視するだけでは判別が困難となっている。しかし、第１電線１６Ａに外嵌した第１ゴム栓２５Ａの後端部に目視可能な第１識別部２８Ａを形成し、第２電線１６Ｂに外嵌した第２ゴム栓２５Ｂの後端部に目視可能な第２識別部２８Ｂを形成した上で、第１識別部２８Ａと第２識別部２８Ｂを異なる形態とした。
【００２８】
つまり、第１識別部２８Ａの外径寸法と第２識別部２８Ｂの外径寸法は互いに相違しており、第１識別部２８Ａの後端の位置と第２識別部２８Ｂの後端の位置も互いに相違している。これにより、図１に示すように、第１ゴム栓２５Ａ及び第２ゴム栓２５Ｂの軸線と平行な仮想投影面上において、第１識別部２８Ａと第２識別部２８Ｂとが互いに異なる形態となっている。したがって、本実施例では、ゴム栓２５Ａ，２５Ｂの軸線と交差する方向から目視することによって、第１識別部２８Ａと第２識別部２８Ｂの形態の違いを比較して、第１サブハーネス１０Ａ（第１導電路１５Ａ）と第２サブハーネス１０Ｂ（第２導電路１５Ｂ）を容易且つ確実に識別することができる。これにより、使用材料が一部異なっている第１電線１６Ａと第２電線１６Ｂを分別することができる。
【００２９】
＜他の実施例＞
本発明は上記記述及び図面によって説明した実施例に限定されるものではなく、例えば次のような実施例も本発明の技術的範囲に含まれる。
（１）上記実施例では、第１識別部と第２識別部の断面形状を円形としたが、第１識別部と第２識別部の断面形状は、非円形であってもよい。
（２）上記実施例では、第１識別部の断面形状と第２識別部の断面形状を相似形状（円形）としたが、第１識別部の断面形状と第２識別部の断面形状が互いに異なる形状であってもよい。
（３）上記実施例では、第１識別部の外径寸法と第２識別部の外径寸法とを相違させたが、第１識別部の外径寸法と第２識別部の外径寸法は同一寸法であってもよい。
（４）上記実施例では、第１識別部の後端の位置と第２識別部の後端の位置とを相違させたが、第１識別部の後端の位置と第２識別部の後端の位置は、前後方向において同一の位置であってもよい。
（５）上記実施例では、電線及びゴム栓の軸線方向と交差する方向に目視したときに、第１識別部と第２識別部の形態の相違を目視判断できるようにしたが、電線及びゴム栓の軸線方向と交差する方向に目視したときの第１識別部と第２識別部の形状及び寸法を同一とし、軸線と平行に後方から目視したときに、第１識別部と第２識別部を識別できるようにしてもよい。
（６）上記実施例では、第１サブハーネス（第１電線）と第２サブハーネス（第２電線）の分別基準が導体の材料の違いである場合について説明したが、本発明は、分別基準が、導体の材料の違いである場合に限らず、絶縁被覆の材料の違いである場合や、シールド電線における編組線（シールド層）の材料の違いである場合等にも適用できる。この場合、第１導体と第２導体が同一の材料であってもよい。
（７）上記実施例では、第１導体がアルミ合金製であり、第２導体が銅合金製である場合について説明したが、本発明は、第１導体と第２導体の材料の組み合わせが銅合金とアルミ合金である場合に限らず、他の金属材料の組み合わせである場合にも適用できる。
（８）本発明は、導体を絶縁被覆で包囲した単芯線に限らず、導体の外周を絶縁性のコアとシールド層と絶縁性のシースによって順に包囲した形態のシールド電線や、２本の導体をシースで一括して包囲したツイストペア線や、３本以上の導体をシースで一体化した多芯ケーブル等にも適用できる。
（９）上記実施例では、サブハーネスが２種類である場合について説明したが、本発明は、サブハーネスの種類数が３種類以上である場合にも適用できる。
【符号の説明】
【００３０】
Ｗ…ワイヤーハーネス
１０Ａ…第１サブハーネス
１０Ｂ…第２サブハーネス
１１Ａ…第１コネクタハウジング
１１Ｂ…第２コネクタハウジング
１５Ａ…第１導電路
１５Ｂ…第２導電路
１６Ａ…第１電線
１６Ｂ…第２電線
２０Ａ…第１端子金具
２０Ｂ…第２端子金具
２５Ａ…第１ゴム栓
２５Ｂ…第２ゴム栓
２８Ａ…第１識別部
２８Ｂ…第２識別部
【図１】
2014053215.tif 000003
【図２】
2014053215.tif 000004
【図３】
2014053215.tif 000005